(57)【要約】      （修正有）【課題】最初は確認のため、部首索引頁を参照することもあるが、最終的には、その頁を開くこともなく、漢字検索を可能にする漢和辞典を提供する。【解決手段】２１４の部首を、７部品、│、一、厂、口、日、目、田別にまとめた、新規の部首索引ページ２を備え、それをもとに、小口上で直接、漢字検索を可能にする、│見出しバー７、一見出しバー８、厂見出しバー９、口見出しバー１０、日見出しバー１１、目見出しバー１２、田見出しバー１３で構成される小口索引を備える。【選択図】図１
0003229616.tif 000002
【実用新案登録請求の範囲】
【請求項１】
全部で２１４有る漢字の部首において、各部首の点や直線や曲線で構成される形状の中の、点や斜線や曲線を除き残る水平線と垂直線が交差、またはそれらの端が接触する中に、長方形が1個だけ有る場合、その部首の部品は口と判定し、長方形が２個有る場合、その部首の部品は日と判定し、長方形が３個有る場合、その部首の部品は目と判定し、長方形が４個以上有る場合、その部首の部品は田と判定し、長方形は1個も無いが、直角に曲がった折れ線が1個でも有る場合、その部首の部品は厂と判定し、長方形も直角に曲がった折れ線も1個も無いが、字幅いっぱいに伸びた水平線が1個有る場合、その部首の部品は一と判定し、長方形も直角に曲がった折れ線も字幅いっぱいに伸びた水平線も1個も無い場合、その部首の部品は│と判定する結果をもとに、縦方向に上から、│、一、厂、口、日、目、田の順に、横方向に右から、同じ部品に属する部首の中では、その画数の少ない部首の順に並べてまとめた、部首索引（２）頁を有することを特徴とする漢和辞典。
【請求項２】
請求項１記載の漢和辞典において、さらに本文（１４）にある各部首の記述開始頁から終了頁までの各頁において、小口側の頁の余白の上端から、請求項１記載の部首索引（２）を参照した結果、その部首の部品が、│の場合、２０ｍｍ、一の場合、２５ｍｍ、厂の場合、３０ｍｍ、口の場合、３５ｍｍ、日の場合、４０ｍｍ、目の場合、４５ｍｍ、田の場合、５０ｍｍ下げた所を起点にし、上辺をこの起点に合わせ、中を黒塗りにした縦４ｍｍ、横２ｍｍの長方形の印と、その隣にその部首名を印字した小口見出し（５）を付けていくことにより、索引見出し（４）毎に、小口上に形成されるバーコード状の形状、│見出しバー（７）、一見出しバー（８）、厂見出しバー（９）、口見出しバー（１０）、日見出しバー（１１）、目見出しバー（１２）、田見出しバー（１３）で構成される小口索引を有することを特徴とする漢和辞典。
【考案の詳細な説明】
【技術分野】
【０００１】
本考案は、漢和辞典に関わり、さらに詳しくは漢字検索を迅速にできるようにした漢和辞典に関するものである。
【背景技術】
【０００２】
従来の漢和辞典は、部首索引、総画索引、音訓索引の３種類の索引を用いて漢字検索を行っているが、その内、部首索引を用いての漢字検索が一般的に行われている。
【先行技術文献】
【特許文献】
【０００３】
【特許文献１】実開昭６１−１６０９６７号公報
【考案の概要】
【考案が解決しようとする課題】
【０００４】
しかしながら、従来の部首索引を用いた場合、検索したい漢字の部首の画数を確定した後、必ず部首索引の頁を開き、該当部首の記述開始頁数を検索し、しかる後にその開始頁に移動し、検索を続けるという、手間のかかる問題があった。
【０００５】
よって、本考案は、最初は確認のため、部首索引頁を参照することもあるが、最終的には、その頁を開くこともなく、漢字検索を可能にする漢和辞典を提供することを目的とする。
【課題を解決するための手段】
【０００６】
上記の目的を達成するために、本考案の漢和辞典は、小口上で直接、漢字検索を可能にする小口索引を備える手段をとる。しかし、その前に、この小口索引がうまく機能するように新規の部首索引を備える手段をとる。
【０００７】
索引は、各索引項目の記述頁数を検索するためにあるが、その各索引項目の記述開始頁から終了頁までの各頁において、小口側の頁の余白の上端から、索引見出し毎に決められた距離を下げた所に、中を黒塗りにした四角い印と項目名を印字したものをここでは、小口見出しと呼ぶ。これが索引の全項目において付けられると、小口上に、索引見出し毎のバーコード状の形状が形成される。これをここでは、各索引見出しを頭に付け、何見出しバーと呼ぶ。そしてこれら全部の見出しバーで構成されたものを、小口索引と呼ぶこととする。
【０００８】
小口索引がうまく機能するとは、最初は確認のため、索引頁を参照することもあるが、最終的には、その頁を開くこともなく、小口索引だけで漢字検索を可能にするということである。
【０００９】
漢字は、検索を容易にするため、もっと具体的には、検索箇所の範囲を絞るため、部首別に、２１４部首に分類されている。しかし、まだ検索箇所が２１４箇所と多いので、この２１４部首を、さらに何らかの形で分類し、検索箇所をもっと絞り込む必要がある。
【００１０】
この何らかの形であるが、ここでは、漢字を部首別に分類した時と同じ形で分類することとする。漢字を分類する時には、漢字形状の中にある部首形状別に、分類したわけだが、今のところ、部首は、単独でも漢字であるが、部首自身の部首的なものは存在しない。そこで、部首分類を漢字分類と同じ形で分類するため、部首自身の部首的なものを存在させ、これを部首の主要な共通の構成部品という意味を込めて、ここでは、部品と呼ぶこととする。
【００１１】
すると、漢字と部首、部首と部品の形状的構造は、以下のようになる。
漢字形状…部首形状＋残りの漢字形状
部首形状…部品形状＋残りの部首形状
これで、漢字を分類する時に、漢字形状の中にある部首形状別に、分類したように、部首を分類する時にも、部首形状の中にある部品形状別に、分類できるようになる。
【００１２】
そして、既に行われている漢字分類と、さらに検索箇所を絞り込むために、これから行う部首分類を併記すると、以下のようになる。
漢字分類 1万以上の漢字を部首別に、２１４部首に分類する。
部首分類  ２１４の部首を部品別に、    ７部品に分類する。
【００１３】
７部品と結果を先に書いたが、検索箇所が２１４箇所から７箇所へと絞り込めている。つまり、２１４の部首が、部品別に７部品にまとめられたことは、索引の索引見出しの数が７個になったことを意味する。そしてこれは、小口索引にした時、7本の見出しバーになり、検索箇所が7箇所に絞られたことを意味する。それでは、部首の主要な共通の構成部品として現れる７部品とは、いかなるものか、以下見てみる。
【００１４】
部首の形状は、点や曲線より直線が多く、直線の中でも、水平線と垂直線が多く有る。そして、それらは交差したり、それらの端が接触し止まった形、つまり、直角に曲がった折れ線も多い。また、その直角に曲がった折れ線が互いに向き合った形でできる全ての角が直角の四角形も多く出現する。もちろん、交差はするが、直角に曲がった折れ線になることなく、存在する水平線、垂直線も多く有る。それで、目に付きやすい幾何学的形状である、全ての角が直角の四角形、つまり長方形、直角に曲がった折れ線、字幅いっぱいに伸びた水平線の順に、これら３形状の有無をもとに、その部首の部品が、以下の 7部品、│、一、厂、口、日、目、田の内、どの部品に属するかを示す、以下のような、新規の部首索引を備える手段をとる。
【００１５】
全部で２１４有る漢字の部首において、各部首の点や直線や曲線で構成される形状の中の、点や斜線や曲線を除き残る水平線と垂直線が交差、またはそれらの端が接触する中に、長方形が1個だけ有る場合、その部首の部品は口と判定し、長方形が２個有る場合、その部首の部品は日と判定し、長方形が３個有る場合、その部首の部品は目と判定し、長方形が４個以上有る場合、その部首の部品は田と判定し、長方形は1個も無いが、直角に曲がった折れ線が1個でも有る場合、その部首の部品は厂と判定し、長方形も直角に曲がった折れ線も1個も無いが、字幅いっぱいに伸びた水平線が1個有る場合、その部首の部品は一と判定し、長方形も直角に曲がった折れ線も字幅いっぱいに伸びた水平線も1個も無い場合、その部首の部品は│と判定する結果をもとに、縦方向に上から、│、一、厂、口、日、目、田の順に、横方向に右から、同じ部品に属する部首の中では、その画数の少ない部首の順に並べてまとめた、部首索引２頁を備える手段をとる。
【００１６】
上記にあげた３つの幾何学的形状を一番その形状の特徴を捉えた部首に置き換えると以下のようになる。
口（ク）  …  全ての角が直角の四角形、つまり長方形。
厂（カン）…  直角に曲がった折れ線。曲線を除いた厂と、それを左に90°、右に90°
回転させた３種類（「 └  ¬）の形がある。
一（イチ）…  字幅いっぱいに伸びた水平線。
そして口、厂、一の順に、これら３形状の有無をもとに、上記の部品判定の過程を簡略化して表現すれば以下のようになる。
口が              有る（１個  口、２個  日、３個  目、４個以上  田）
口は    無いが厂が有る（      厂                                  ）
口も厂も無いが一が有る（      一、無い  │                        ）
以後、この部品判定のことを、口厂一判定と呼ぶこととする。
【００１７】
そして、本文１４にある各部首の記述開始頁から終了頁までの各頁において、小口側の頁の余白の上端から、上記の部首索引２を参照した結果、その部首の部品が、│の場合、２０ｍｍ、一の場合、２５ｍｍ、厂の場合、３０ｍｍ、口の場合、３５ｍｍ、日の場合、４０ｍｍ、目の場合、４５ｍｍ、田の場合、５０ｍｍ下げた所を起点にし、上辺をこの起点に合わせ、中を黒塗りにした縦４ｍｍ、横２ｍｍの長方形の印と、その隣にその部首名を印字した小口見出し５を付けていくことにより、索引見出し４毎に、小口上に形成されるバーコード状の形状、│見出しバー７、一見出しバー８、厂見出しバー９、口見出しバー１０、日見出しバー１１、目見出しバー１２、田見出しバー１３で構成される小口索引を備える手段をとる。
【考案の効果】
【００１８】
部首索引２は、上下二段になっていて、下段は、部首形状の中に、部首の部品形状が、いかに潜んでいるのかを視覚的に強調して示してある。図２、及び図３に、部首索引２の拡大図がある。
【００１９】
漢字形状は、以下のように入れ子になった構造をしている。
漢字形状…部首形状          ＋              残りの漢字形状
部首形状…部品形状＋残りの部首形状
【００２０】
漢字検索を開始する時、まず検索対象の漢字の部首の特定を行う。漢字形状の中の部首形状に焦点を当てることで、瞬時に部首の特定ができる。漢字は、意味を形に置き換えた表意文字で、見るだけで意味が分かると言われる。以前この部首形状を見て学習したことがあるなら直ぐに答えられる。
【００２１】
次は 視線をその部首形状の中の、部品形状に焦点を当てることで、その部首の部品が、│、一、厂、口、日、目、田の内、どの部品に属するかを特定する。
【００２２】
漢字の部首の特定の場合、部首形状と、残りの漢字形状は、接していることもあるが、ほとんどの場合、少し離れているので、見分けが付きやすい。しかし、部首の部品の特定の場合、部品形状は、残りの部首形状と、接したり、重なっていたりするので、見分けにくいことがある。そこで、最初は、口厂一判定を行い、部首索引頁でその結果を確認するかもしれないが、検索の回数を重ねることにより、次第に、部首索引頁を開かず、口厂一判定だけで特定できるようになり、最終的には、漢字の部首が特定できるように、部首の部品も特定できるようになる。それは、答えの形状は潜んでいるとはいえ、そこに焦点を当てれば、その答えの形状は見えるからである。ただ、部品│だけは特殊で、口、厂、一形状が見えないことで判定される部品である。
【００２３】
こうして、検索対象の漢字の形状の中で焦点を２度変えて当てるだけで、部首の部品を特定できる。例えば、図６は、検索対象の漢字が「語」の場合、焦点をどこに当てていくのかを視覚的に強調して示してある。まず漢字形状の中の部首形状である「言」に焦点を当て、そして直ぐ部首形状の中の部品形状「口」に焦点を当て、部品を口と特定する。
【００２４】
その後は、小口上にある特定された部品の見出しバーに指を置いて、その部首の形状の複雑さ、つまり、画数の多い部首程、左側に指を滑らせ、使用頻度の高い部首ならバーの横幅が広い、等を念頭に部首の記述頁を探り当てる。
【００２５】
本考案の漢和辞典は、最初は確認のため、請求項１記載の部首索引２頁を参照することもあるが、最終的には、この頁を開くこともなく、請求項２記載の│見出しバー７、一見出しバー８、厂見出しバー９、口見出しバー１０、日見出しバー１１、目見出しバー１２、田見出しバー１３で構成される小口索引だけで、漢字検索を可能にできるという効果を奏する。
【図面の簡単な説明】
【００２６】
【図１】図１は本考案の実施形態に係る漢和辞典の表見返しを開いた所を示した斜視図である。
【図２】図２は前記漢和辞典の表見返しの右側にある部首索引の前半部分を示した拡大図である。
【図３】図３は前記漢和辞典の表見返しの左側にある部首索引の後半部分を示した拡大図である。
【図４】図４は前記漢和辞典の本文にある漢字「仁」の記述頁を開いた所を示した斜視図である。
【図５】図５は前記漢和辞典の小口の上部にある小口索引を示した一部正面図である。
【図６】図６は検索対象の漢字が「語」の場合の、漢字形状、部首形状、部品形状、部品を示してある。
【図７】図７は部首の部品が、│、一となる例として、各部首に一個の漢字の例を取り上げ、漢字 部首 部品の順に示してある。なお、部首は、部首形状の中に潜む部品形状を視覚的に強調して示してある。
【図８】図８は部首の部品が、厂、口、日、目、田となる例として、各部首に一個の漢字の例を取り上げ、漢字 部首 部品の順に示してある。なお、図７と同じく、部首は、部首形状の中に潜む部品形状を視覚的に強調して示してある。
【考案を実施するための形態】
【００２７】
図１は、本考案の実施形態に係る漢和辞典の表見返し１を開いた所を示している。
【００２８】
本考案の漢和辞典は、表見返し１、本文１４、総画索引１５、音訓索引１６、裏見返し１７、そして、小口上に、小口索引を備える構成になっている。
【００２９】
表見返し１には、部首索引２、凡例３、索引見出し４がある。部首索引は、上下二段になっていて、上段が請求項１記載の部首索引２である。下段は、部首形状の中に、部首の部品形状が、いかに潜んでいるのかを視覚的に強調して示してある。凡例３は、口、厂、一形状の説明と、部首の部品判定の過程を簡略化して示してある。索引見出し４は、索引項目の冒頭にある部首の部品で、縦方向に上から、│、一、厂、口、日、目、田の順に示してある。なお、図２、及び図３に、部首索引２の拡大図が、示してある。
【００３０】
本文１４は、漢字を部首によって分類し、部首の画数順に並べ、同一部首に属する漢字は、部首を除いた画数の順に並べてある。総画索引１５は、本文掲載の漢字を画数順に並べた索引である。音訓索引１６は、本文掲載の漢字の音訓を五十音順に並べた索引である。なお、裏見返し１７には、従来の部首を画数順に分類しまとめた部首索引がある。
【００３１】
図５は、小口の上部にある小口索引を示した一部正面図である。小口上に、請求項２記載の│見出しバー７、一見出しバー８、厂見出しバー９、口見出しバー１０、日見出しバー１１、目見出しバー１２、田見出しバー１３で構成される小口索引がある。各見出しバーの縦方向の間隔は、５ｍｍである。全体で３５ｍｍである。そして、小口索引としては、小口の上部から、２０ｍｍから５５ｍｍまでの間に位置している。
【００３２】
漢字検索において、部首の部品特定の後、その特定された部品の見出しバーに指を置いて、部首の記述頁を探り当てる。そして、その頁を探り当てると同時に、視線を頁の上部柱６に向ける。そして、そこに記述してある目的の漢字を探し出す。小口索引が、小口のかなり上部に位置している理由は、見出しバーから上部柱６へ視線を移す時、その距離をできるだけ短くしたいからである。
【００３３】
各見出しバーの縦方向の間隔を伸ばすにしても１０ｍｍが限度である。もちろん、そうする場合、小口見出し５の長方形の印の縦の長さも変える。
【００３４】
請求項２記載の小口見出し５の長方形の印は、中が黒塗りになっている。同じ部品で、一方の部首の記述終了頁数と他方の部首の記述開始頁数が同じであった場合、両部首を区別するため、一方の小口見出し５の長方形の印を中黒塗りでなく、柄を変えたり、色を変えたりすることも可能である。
【実施例】
【００３５】
本考案の漢和辞典で、漢字検索を行う例を以下に示す。検索対象の漢字は、「仁」とする。
漢字 部首 部品
仁   人   │
【００３６】
漢字検索を開始する時、まず検索対象の漢字の部首の特定を行う。漢字形状の中の部首形状に焦点を当て、ここの場合、人偏が人部の部首であることを以前に学習しているという条件付きであるが、瞬時に部首の特定ができる。
【００３７】
次は視線をその部首形状の中の、部品形状に焦点を当てることで、その部首の部品を特定する。ここの場合、「人」形状には、口厂一判定によると、口も厂も一も無いので、部品は、│である。部首の部品の特定の場合、最初は、このように、口厂一判定を行い、部首索引でその結果を確認することもあるが、検索の回数を重ねることにより、最終的には、部首「人」即、部品「│」と 特定できるようになる。
【００３８】
このように、部品│が特定できたら、直ぐ小口索引の一番上にある、│見出しバー７に指を置いて、「人」は、画数が少ないので右側に指を滑らせ、使用頻度の高い部首なので、バーの横幅が広い所で頁をパラパラめくりながら、人部首の記述頁を探り当て、続けて、視線を頁の上部柱６に向けながら、そこに記述してある目的の漢字「仁」を探り当てた所で指を止め、その頁を開く。図４は、本考案の漢和辞典の本文にある漢字「仁」の記述頁を開いた所を示している。
【００３９】
図7、及び図８に、部首の部品が、│、一、厂、口、日、目、田となる例として、２１４部首の各部首に一個の漢字の例を取り上げ、漢字 部首 部品の順に示してある。なお、部首は、部首形状の中に潜む部品形状を視覚的に強調して示してある。
【符号の説明】
【００４０】
１    表見返し
２    部首索引
３    凡例
４    索引見出し
５    小口見出し
６    上部柱
７    │見出しバー
８    一見出しバー
９    厂見出しバー
１０  口見出しバー
１１  日見出しバー
１２  目見出しバー
１３  田見出しバー
１４  本文
１５  総画索引
１６  音訓索引
１７  裏見返し
【図１】
0003229616.tif 000003
【図２】
0003229616.tif 000004
【図３】
0003229616.tif 000005
【図４】
0003229616.tif 000006
【図５】
0003229616.tif 000007
【図６】
0003229616.tif 000008
【図７】
0003229616.tif 000009
【図８】
0003229616.tif 000010